(57)【特許請求の範囲】
【請求項１】
録画装置と通信可能に構成された携帯端末装置であって、
放送される番組を受信する受信部と、
前記録画装置から予め録画予約を依頼された番組を録画する録画部と、
前記録画部に録画された放送中の番組の録画データを前記録画装置に転送する通信部と、
前記録画部によって放送中の番組が録画されている間、前記携帯端末装置と前記録画装置との間の通信状態を示す情報に基づいて、前記携帯端末装置と前記録画装置との間の通信状態を監視する監視部と、
前記監視部が、前記携帯端末装置と前記録画装置との間の前記通信状態が予め定められた基準レベル未満の状態であると判断した場合に、前記携帯端末装置のユーザに警告する警告部とを備える、携帯端末装置。
【請求項２】
データを不揮発的に格納する不揮発性格納部をさらに備え、
前記通信状態が、一定時間以上の間、前記基準レベル未満の状態であるとの前記監視部の判断結果に基づいて、前記通信部は、放送中の番組の録画データの前記録画装置への転送を中断し、
前記録画部は、前記判断結果に基づいて、当該放送中の番組における前記転送の中断後の録画データを前記不揮発性格納部に格納する、請求項１に記載の携帯端末装置。
【請求項３】
前記録画装置への転送が中断されているときに、前記通信状態が、前記基準レベル未満の状態から前記基準レベル以上の状態に復帰したとの前記監視部の判断結果に基づいて、前記通信部は、前記放送中の番組における前記復帰後の録画データを前記録画装置に転送する、請求項２に記載の携帯端末装置。
【請求項４】
前記通信部によって前記録画装置に転送された録画データと、前記不揮発性格納部に格納された録画データとの関連付け情報を生成する生成部をさらに備え、
前記通信部は、前記不揮発性格納部に格納された録画データと、前記生成部によって生成された前記関連付け情報とを前記録画装置に送信する、請求項２または３に記載の携帯端末装置。
【請求項５】
前記携帯端末装置は、データを不揮発的に格納可能に構成された少なくとも１つの記憶装置とさらに通信可能に構成され、
前記携帯端末装置は、
前記録画部が放送中の番組の録画データを前記不揮発性格納部に格納しているときに、前記不揮発性格納部のメモリ残量が予め定められた基準残量未満になった場合、前記携帯端末装置が通信可能な前記少なくとも１つの記憶装置を検出する検出部をさらに備え、
当該記憶装置が存在するとの前記検出部の検出結果に基づいて、前記通信部は、放送中の番組の録画データを検出された当該記憶装置に転送する、請求項４に記載の携帯端末装置。
【請求項６】
前記生成部は、前記不揮発性格納部に格納された録画データと、前記通信部によって前記記憶装置に転送された録画データとの関連付け情報をさらに生成する、請求項５に記載の携帯端末装置。
【請求項７】
録画装置と通信可能に構成された携帯端末装置の制御方法であって、
放送される番組を受信するステップと、
前記録画装置から予め録画予約を依頼された番組を録画するステップと、
録画された放送中の番組の録画データを前記録画装置に転送するステップと、
放送中の番組が録画されている間、前記携帯端末装置と前記録画装置との間の通信状態を示す情報に基づいて、前記携帯端末装置と前記録画装置との間の通信状態を監視するステップと、
前記携帯端末装置と前記録画装置との間の前記通信状態が予め定められた基準レベル未満の状態であると判断された場合に、前記携帯端末装置のユーザに警告するステップとを含む、携帯端末装置の制御方法。
【請求項８】
録画装置と通信可能に構成された携帯端末装置の制御プログラムであって、
前記制御プログラムは、前記携帯端末装置のコンピュータに、
放送される番組を受信するステップと、
前記録画装置から予め録画予約を依頼された番組を録画するステップと、
録画された放送中の番組の録画データを前記録画装置に転送するステップと、
放送中の番組が録画されている間、前記携帯端末装置と前記録画装置との間の通信状態を示す情報に基づいて、前記携帯端末装置と前記録画装置との間の通信状態を監視するステップと、
前記携帯端末装置と前記録画装置との間の前記通信状態が予め定められた基準レベル未満の状態であると判断された場合に、前記携帯端末装置のユーザに警告するステップとを実行させる、携帯端末装置の制御プログラム。
【請求項９】
携帯端末装置と通信可能に構成された録画装置であって、
前記携帯端末装置から転送された放送中の番組の録画データを受信するデータ受信部と、
前記データ受信部で受信された録画データを格納するデータ格納部とを備え、
前記データ受信部は、当該放送中の番組における、前記携帯端末装置から転送が中断される前の第１録画データと、前記転送が中断された後の第２録画データと、前記第１録画データと前記第２録画データとの関連付け情報とを前記携帯端末装置から受信し、
前記録画装置は、
前記関連付け情報に基づいて、受信した前記第１録画データおよび前記第２録画データを結合して１つの録画データとする結合部をさらに備える、録画装置。
【請求項１０】
録画装置と通信可能に構成された携帯端末装置とを含む録画システムであって、
前記携帯端末装置は、
放送される番組を受信する受信部と、
前記録画装置から予め録画予約を依頼された番組を録画する録画部と、
前記録画部に録画された放送中の番組の録画データを前記録画装置に転送する通信部と、
前記録画部によって放送中の番組が録画されている間、前記携帯端末装置と前記録画装置との間の通信状態を示す情報に基づいて、前記携帯端末装置と前記録画装置との間の通信状態を監視する監視部と、
前記監視部が、前記携帯端末装置と前記録画装置との間の前記通信状態が予め定められた基準レベル未満の状態であると判断した場合に、前記携帯端末装置のユーザに警告する警告部とを備え、
前記録画装置は、
前記携帯端末装置から転送された録画データを受信するデータ受信部と、
前記データ受信部で受信された録画データを格納するデータ格納部とを備える、録画システム。
【発明の詳細な説明】
【技術分野】
【０００１】
本発明は、携帯端末装置、その制御方法、およびその制御プログラム、録画装置、および録画システムに関する。
【背景技術】
【０００２】
近年、テレビ番組などの放送波を受信して、受信した番組を出力する機能、または録画する機能を有する携帯端末装置がある。当該携帯端末装置を利用して、据置型の録画装置と、当該携帯端末装置とが連携動作することで放送番組を録画する技術が存在する。例えば、予約指定番組の放送時間が延長したり、当該番組の受信途中で録画用のメモリ残量が不足したりすることで、当該番組を最後まで記録できない可能性が生じた場合でも、当該番組を最後まで継続して録画するための以下のような技術が存在する。
【０００３】
特開２０１０−１５４２３７号公報（特許文献１）には、放送番組の受信とその受信した番組の記録予約が可能な放送受信記録装置が開示されている。放送受信記録装置は、所望する番組の記録を時間帯指定とチャンネル指定の条件で予約指定する予約指定手段と、この予約指定手段によって指定された予約指定番組をその最後まで記録可能か否かを判別する記録判別手段と、この記録判別手段によって予約指定番組をその最後まで記録することが不可能であると判別された場合に、その番組の最後までの継続記録を追加予約する追加予約手段とを含む。
【先行技術文献】
【特許文献】
【０００４】
【特許文献１】特開２０１０−１５４２３７号公報
【発明の概要】
【発明が解決しようとする課題】
【０００５】
上記文献によると、予約指定番組の放送時間帯に重ねて他の番組の録画予約をしたい場合には、放送受信記録装置は、連携機器である他の放送受信記録装置に対して録画予約を依頼する。上記文献には、放送受信記録装置の例として、据置型レコーダおよび携帯電話装置が挙げられている。
【０００６】
ここで、一般的には、据置型レコーダは、比較的メモリ容量の大きい記憶装置（例えば、ハードディスク等）を搭載しているため、携帯電話装置よりもメモリ容量が大きく、長時間の放送番組の録画にも対応することが可能である。しかしながら、依頼された他の放送受信記録装置の全てが、据置型レコーダにようにメモリ容量が大きい装置ではない場合も多い。
【０００７】
例えば、他の放送受信記録装置が、携帯電話装置のようにメモリ容量が小さい装置である場合には、長時間の放送番組を全て録画することができない。したがって、放送受信記録装置が、他の放送受信記録装置に録画依頼できる番組が制限されてしまうという問題がある。
【０００８】
本発明は、上記のような問題点を解決するためになされたものであって、その目的は、放送時間帯が重なる複数の放送番組を録画する際のユーザの利便性をより向上させることが可能な携帯端末装置、その制御方法、およびその制御プログラム、録画装置、および録画システムを提供することである。
【課題を解決するための手段】
【０００９】
ある実施の形態に従うと、録画装置と通信可能に構成された携帯端末装置が提供される。携帯端末装置は、放送される番組を受信する受信部と、録画装置から予め録画予約を依頼された番組を録画する録画部と、録画部に録画された放送中の番組の録画データを録画装置に転送する通信部と、録画部によって放送中の番組が録画されている間、携帯端末装置と録画装置との間の通信状態を示す情報に基づいて、携帯端末装置と録画装置との間の通信状態を監視する監視部と、監視部が、携帯端末装置と録画装置との間の通信状態が予め定められた基準レベル未満の状態であると判断した場合に、携帯端末装置のユーザに警告する警告部とを含む。
【００１０】
好ましくは、携帯端末装置は、データを不揮発的に格納する不揮発性格納部をさらに含む。通信状態が、一定時間以上の間、基準レベル未満の状態であるとの監視部の判断結果に基づいて、通信部は、放送中の番組の録画データの録画装置への転送を中断する。録画部は、判断結果に基づいて、当該放送中の番組における転送の中断後の録画データを不揮発性格納部に格納する。
【００１１】
好ましくは、録画装置への転送が中断されているときに、通信状態が、基準レベル未満の状態から基準レベル以上の状態に復帰したとの監視部の判断結果に基づいて、通信部は、放送中の番組における復帰後の録画データを録画装置に転送する。
【００１２】
好ましくは、携帯端末装置は、通信部によって録画装置に転送された録画データと、不揮発性格納部に格納された録画データとの関連付け情報を生成する生成部をさらに含む。通信部は、不揮発性格納部に格納された録画データと、生成部によって生成された関連付け情報とを録画装置に送信する。
【００１３】
好ましくは、携帯端末装置は、データを不揮発的に格納可能に構成された少なくとも１つの記憶装置とさらに通信可能に構成される。携帯端末装置は、録画部が放送中の番組の録画データを不揮発性格納部に格納しているときに、不揮発性格納部のメモリ残量が予め定められた基準残量未満になった場合、携帯端末装置が通信可能な少なくとも１つの記憶装置を検出する検出部をさらに含む。当該記憶装置が存在するとの検出部の検出結果に基づいて、通信部は、放送中の番組の録画データを検出された当該記憶装置に転送する。
【００１４】
好ましくは、生成部は、不揮発性格納部に格納された録画データと、通信部によって記憶装置に転送された録画データとの関連付け情報をさらに生成する。
【００１５】
他の実施の形態に従うと、録画装置と通信可能に構成された携帯端末装置の制御方法が提供される。携帯端末装置の制御方法は、放送される番組を受信するステップと、録画装置から予め録画予約を依頼された番組を録画するステップと、録画された放送中の番組の録画データを録画装置に転送するステップと、放送中の番組が録画されている間、携帯端末装置と録画装置との間の通信状態を示す情報に基づいて、携帯端末装置と録画装置との間の通信状態を監視するステップと、携帯端末装置と録画装置との間の通信状態が予め定められた基準レベル未満の状態であると判断された場合に、携帯端末装置のユーザに警告するステップとを含む。
【００１６】
さらに他の実施の形態に従うと、録画装置と通信可能に構成された携帯端末装置の制御プログラムが提供される。制御プログラムは、携帯端末装置のコンピュータに、放送される番組を受信するステップと、録画装置から予め録画予約を依頼された番組を録画するステップと、録画された放送中の番組の録画データを録画装置に転送するステップと、放送中の番組が録画されている間、携帯端末装置と録画装置との間の通信状態を示す情報に基づいて、携帯端末装置と録画装置との間の通信状態を監視するステップと、携帯端末装置と録画装置との間の通信状態が予め定められた基準レベル未満の状態であると判断された場合に、携帯端末装置のユーザに警告するステップとを実行させる。
【００１７】
さらに他の実施の形態に従うと、携帯端末装置と通信可能に構成された録画装置が提供される。録画装置は、携帯端末装置から転送された放送中の番組の録画データを受信するデータ受信部と、データ受信部で受信された録画データを格納するデータ格納部とを含む。データ受信部は、当該放送中の番組における携帯端末装置から転送が中断される前に受信した録画データと、転送が中断された後に受信した録画データとの関連付け情報を携帯端末装置からさらに受信する。録画装置は、関連付け情報に基づいて、受信した複数の録画データを結合して１つの録画データとする結合部をさらに含む。
【００１８】
さらに他の実施の形態に従うと、録画装置と通信可能に構成された携帯端末装置とを含む録画システムが提供される。携帯端末装置は、放送される番組を受信する受信部と、録画装置から予め録画予約を依頼された番組を録画する録画部と、録画部に録画された放送中の番組の録画データを録画装置に転送する通信部と、録画部によって放送中の番組が録画されている間、携帯端末装置と録画装置との間の通信状態を示す情報に基づいて、携帯端末装置と録画装置との間の通信状態を監視する監視部と、監視部が、携帯端末装置と録画装置との間の通信状態が予め定められた基準レベル未満の状態であると判断した場合に、携帯端末装置のユーザに警告する警告部とを含む。録画装置は、携帯端末装置から転送された録画データを受信するデータ受信部と、データ受信部で受信された録画データを格納するデータ格納部とを含む。
【発明の効果】
【００１９】
以上より、ある局面では、放送時間帯が重なる複数の放送番組を録画する際のユーザの利便性をより向上させることが可能となる。
【図面の簡単な説明】
【００２０】
【図１】本実施の形態に従う録画システムの全体構成を示す概念図である。
【図２】本実施の形態に従う録画装置が携帯端末装置に録画予約依頼をするときの動作例を説明するための図である。
【図３】本実施の形態に従う携帯端末装置が録画装置から依頼された番組を録画しているときの動作例を説明するための図である。
【図４】本実施の形態に従う関連付け情報の一例を示す図である。
【図５】本実施の形態に従う携帯端末装置のハードウェア構成を示すブロック図である。
【図６】本実施の形態に従う録画装置のハードウェア構成を示すブロック図である。
【図７】本実施の形態に従う録画システムの機能ブロック図である。
【図８】本実施の形態に従う録画装置が携帯端末装置に録画予約依頼をする際の処理の流れを示すシーケンス図である。
【図９】本実施の形態に従う録画装置が実行する録画予約処理を示すフローチャートである。
【図１０】本実施の形態に従う録画装置が提供するユーザインターフェイス画面の一例を示す図である。
【図１１】本実施の形態に従う録画装置が提供するユーザインターフェイス画面の他の一例を示す図である。
【図１２】本実施の形態に従う携帯端末装置が実行する録画処理を示すフローチャートである。
【図１３】本実施の形態に従う携帯端末装置が実行する録画処理の変形例を示すフローチャートである。
【図１４】本実施の形態に従う録画装置が実行する格納処理の処理手順を示すフローチャートである。
【発明を実施するための形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
本明細書において、「番組」とは、テレビなどにおいて放送される番組を構成する映像及データおよび音声データなどからなるコンテンツである。なお、「コンテンツ」とは、映像、音声、画像、およびテキストといった人間が聴覚や視覚を用いてその内容を理解できるものを意味し、これらを出力するためのデジタルデータをも含む。具体的には、１０：００〜１２：００に８ｃｈ（channel）で放送される番組とは、１０：００〜１２：００に８ｃｈで放送によって送られるコンテンツである。
【００２３】
＜Ａ．システム概要＞
まず、本実施の形態に従う録画システム１０００が提供するシステムの概要について説明する。
【００２４】
（ａ１．全体構成）
図１は、本実施の形態に従う録画システム１０００の全体構成を示す概念図である。
【００２５】
図１を参照して、録画システム１０００は、携帯端末装置１０と、録画装置２０と、記憶装置３０と、テレビ４０と、無線ＬＡＮ５０と、インターネット６０とを含む。
【００２６】
携帯端末装置１０Ａおよび１０Ｂには、例えば、携帯電話、スマートフォン（smart phone）、タブレット端末、ＰＤＡ（Personal  Digital  Assistance）などの携帯情報機器が含まれ、携帯端末装置１０はこれらを総称したものである。なお、図１には、携帯端末装置１０が２台である状況を示すが、１台でもよいし、これ以上の複数の台数であってもよい。
【００２７】
携帯端末装置１０は、無線ＬＡＮ（Local  Area  Network）５０に接続可能に構成されており、無線ＬＡＮ５０を介して録画装置２０および記憶装置３０との間で比較的近距離で通信することができる。すなわち、携帯端末装置１０は、録画装置２０および記憶装置３０との間で、無線ＬＡＮ５０を介してデータの送受信が可能である。また、携帯端末装置１０は、無線ＬＡＮ５０を介してインターネット６０にも接続され、自装置の無線通信部によって移動体通信網にも接続可能に構成されている。
【００２８】
また、携帯端末装置１０は、テレビチューナ（以下「チューナ」とも称す。）を内蔵しており、テレビ放送番組を受信して録画（自身のメモリに記録）する機能、時間帯指定およびチャンネル指定等により放送番組を録画予約する録画予約機能を有する。
【００２９】
録画装置２０は、例えば、据置型レコーダである。録画装置２０は、テレビチューナを内蔵しており、テレビ放送番組を受信して録画する録画機能および録画予約機能を有する。また、録画装置２０は、録画データを記録するための記録媒体として、ＣＤ（Compact  Disc）、ＤＶＤ（Digital  Versatile  Disc）、ＢＤ（Blu-ray  Disc）などの光ディスクの記憶装置である光学ドライブ、およびＨＤＤ（Hard  disk  drive）を有している。なお、録画装置２０は、据置型レコーダに限られず、例えば、上記機能および大容量の記憶装置を有するデスクトップＰＣ（Personal  computer）、ノートＰＣなどであってもよい。
【００３０】
録画装置２０は、無線ＬＡＮ５０を介して携帯端末装置１０との間でデータを送受信できる。録画装置２０は、無線ＬＡＮ５０を介してインターネット６０にも接続される。また、録画装置２０は、外部装置であるテレビ４０と有線で接続されており、再生操作を受け付けると、録画データがテレビ４０において再生出力される。
【００３１】
記憶装置３０は、各種データを格納可能に構成された外部装置である。記憶装置３０は、例えば、赤外線通信（または無線ＬＡＮ５０とは別の無線ＬＡＮ）を介して携帯端末装置１０とデータの送受信が可能である。なお、図１には、記憶装置３０が１台である状況を示すが、これ以上の複数の台数であってもよい。
【００３２】
（ａ２．録画方式）
次に、本実施の形態に従う録画システム１０００における録画方式について説明する。
【００３３】
図２は、本実施の形態に従う録画装置２０が携帯端末装置１０に録画予約依頼をするときの動作例を説明するための図である。
【００３４】
図２を参照すると、録画装置２０は、チューナを２つ有している。チューナＡには、３月２７日の１９：００〜２１：００に４ｃｈで放送される番組の録画予約（予約１）が割り当てられている。チューナＢには、同日の１９：００〜２０：００に８ｃｈで放送される番組の録画予約（予約２）が割り当てられている。
【００３５】
ここで、ユーザは、録画装置２０に対して、新たに同日の１９：３０〜２１：３０に２ｃｈで放送される番組の録画予約（予約３）を希望しているものとする。すなわち、ユーザは、録画装置２０において、既に録画予約済みの番組と一部の時間が重なる別の番組の録画予約を希望しているものとする。
【００３６】
このとき、録画装置２０は、ユーザからの上記予約３の指示を受け付けると、予約３に基づいて録画予約しようとする番組の放送時間帯には、チューナＡおよびＢが、別の番組を録画するために使用予定であるため、自装置では録画予約を受け付けることができないと判断する。そこで、録画装置２０は、携帯端末装置１０に対して、予約３の内容で録画するように録画予約依頼をする。
【００３７】
携帯端末装置１０は、録画装置２０からの録画予約依頼を受け付けると、当該時間帯に自装置で録画する予定があるか否かを判断し、録画予定がないと判断すると、自装置のチューナＣに予約３を割り当てる。すなわち、携帯端末装置１０は、録画装置２０から依頼された予約３の内容での録画予約を受け付ける。
【００３８】
携帯端末装置１０は、予約３における録画予約時刻が到来すると、対応する放送番組を受信して録画するとともに、放送中の番組の録画データを自身のメモリに一時的に格納する。そして、携帯端末装置１０は、一時的に格納している録画データを、順次、録画装置２０に転送する。換言すると、携帯端末装置１０は、対応する番組を録画しながら、録画したデータを録画装置２０に転送する。
【００３９】
図３は、本実施の形態に従う携帯端末装置１０が録画装置２０から依頼された番組を録画しているときの動作例を説明するための図である。
【００４０】
図３を参照すると、上述したように携帯端末装置１０と録画装置２０とは、無線ＬＡＮ５０を介して互いに通信可能である。換言すると、いずれか一方の装置が、無線ＬＡＮ５０の通信圏外に存在する場合には、携帯端末装置１０と録画装置２０とは通信不能となる。ここで、録画装置２０は、据置型レコーダを想定していることから、基本的には無線ＬＡＮ５０の通信可能圏内に存在する。しかしながら、携帯端末装置１０は、一般的にはユーザなどにより携帯されているため、無線ＬＡＮ５０の通信圏外に出てしまうことも想定される。例えば、携帯端末装置１０と録画装置２０との通信状態としては、主に以下の４つの状態が考えられる。
【００４１】
（１）携帯端末装置１０が通信圏内（電界強度：大）に存在
（２）携帯端末装置１０が通信圏内（電界強度：小）に存在
（３）携帯端末装置１０が通信圏外に存在
（４）携帯端末装置１０が通信圏外から通信圏内（電界強度：大）に復帰
以下、通信状態が（１）〜（４）の順に遷移していくとして、各状態における携帯端末装置１０の動作概要を説明する。なお、図１における括弧内の数字が上記の各状態に対応する。
【００４２】
上記（１）の状態は、より具体的には、携帯端末装置１０が無線ＬＡＮ５０の通信圏内に存在し、かつ携帯端末装置１０が受信する無線信号の電界強度が大きい（予め定められた基準閾値以上の）状態である。すなわち、携帯端末装置１０と録画装置２０との間の通信状態が良好な状態である。この状態においては、携帯端末装置１０は、放送中の番組の録画データをＲＡＭ（Random  Access  Memory）などに一時的に保存しながら、当該一時保存した録画データを録画装置２０に順次転送する。
【００４３】
上記（２）の状態は、より具体的には、携帯端末装置１０が無線ＬＡＮ５０の通信圏内には存在するものの、通信圏外に比較的近い場所に存在しており、携帯端末装置１０が受信する無線信号の電界強度が小さい（基準閾値未満の）状態である。すなわち、携帯端末装置１０は、録画装置２０との間で通信可能な状態ではあるものの、（例えば、無線ＬＡＮ５０のアクセスポイントから離れるなどして）通信圏外に出てしまう危険性がある状態である。このとき、携帯端末装置１０は、録画装置２０との通信が不能となる危険性があるため、当該危険性があることをユーザに警告する。例えば、携帯端末装置１０は、通信圏内に近い場所（無線ＬＡＮ５０のアクセスポイントに近い場所）に移動するように、スピーカから警告音を出力したり、ディスプレイに警告情報を表示したりする。
【００４４】
そして、携帯端末装置１０は、上記（２）の状態が一定時間以上続いた場合には、通信圏外に出てしまう危険性が高いと判断して、放送中の番組の録画データを録画装置２０に転送することを中断し、自装置の不揮発性メモリ（例えば、フラッシュメモリなど）に格納する。このように、携帯端末装置１０は、放送中の番組の録画データが途中で途切れてしまうことを回避する。
【００４５】
上記（３）の状態は、より具体的には、携帯端末装置１０が無線ＬＡＮ５０の通信圏外に存在し、録画装置２０との間で通信不能な状態である。上記（３）の場合には、上記（２）の状態が一定時間以上続いた場合と同様に、携帯端末装置１０は、放送中の番組の録画データを自装置の不揮発性メモリに格納する。なお、携帯端末装置１０が、録画データを不揮発性メモリに格納していくと、当該メモリのメモリ残量が少なくなっていく。そのため、メモリ容量の比較的小さい携帯端末装置１０では、最後まで放送中の番組を録画できない場合もある。したがって、携帯端末装置１０は、メモリ残量が予め定められた基準残量未満になった場合には、早く通信圏内に移動するようにユーザに警告してもよい。また、携帯端末装置１０は、他に通信可能な記憶装置３０が存在する場合には、当該記憶装置３０に放送中の番組の録画データを転送して、格納させてもよい。
【００４６】
上記（４）は、より具体的には、携帯端末装置１０が、上記（３）の通信圏外の状態から無線信号の電界強度が大きい通信圏内の状態に復帰した場合である。携帯端末装置１０は、放送中の番組の録画データの録画装置２０への転送を再開するとともに、不揮発性メモリに格納された録画データを録画装置２０に送信する。このとき、携帯端末装置１０は、放送中の番組の録画データを優先的に転送し、録画が終了した後（番組が終了した後）に、不揮発性メモリに格納している録画データを送信する。なお、携帯端末装置１０は、両者の録画データを同時に送信できる場合（例えば、通信速度に余裕のある場合など）には、同時に録画データを送信してもよい。なお、携帯端末装置１０は、記憶装置３０に録画データを格納している場合には、当該録画データも録画装置２０に送信する。
【００４７】
ここで、上記のように、携帯端末装置１０が、通信圏内から通信圏外に移動する場合には、各装置（携帯端末装置１０、録画装置２０および記憶装置３０）に、１つの番組の録画データが点在することとなる。そこで、録画装置２０が、これらの点在した複数の録画データを結合して１つの録画データにできるように、携帯端末装置１０は、録画装置２０（および記憶装置３０）に転送した録画データと、自装置の不揮発性メモリに格納された録画データとの繋がりを示す関連付け情報を生成する。
【００４８】
図４は、本実施の形態に従う関連付け情報７００の一例を示す図である。
図４を参照すると、ＩＤ「００１」に関連付けられた録画データは、録画装置２０から携帯端末装置１０に録画予約依頼（予約３）された番組の録画時間帯のうち、１９：３０〜２０：００の間の録画データであり、録画装置２０に格納されている。同様に、ＩＤ「００２」に関連付けられた録画データは、２０：００〜２０：１５の間の録画データであり、携帯端末装置１０に格納されている。ＩＤ「００３」に関連付けられた録画データは、２０：１５〜２１：３０の間の録画データであり、携帯端末装置１０に格納されている。
【００４９】
携帯端末装置１０は、１９：３０〜２０：００の間、放送中の番組の録画データを録画装置２０に転送し、２０：００〜２０：１５の間、転送中断後の録画データを自装置の不揮発性メモリに格納し、そして２０：１５〜２１：３０の間、転送再開後の録画データを録画装置２０に転送している。すなわち、携帯端末装置１０は、どの場所に、どの時間帯の録画データが格納されているのかを示す関連付け情報を生成する。当該関連付け情報を生成するタイミングは、例えば、録画装置２０への録画データの転送中断時および再開時などが考えられる。
【００５０】
したがって、携帯端末装置１０は、録画装置２０以外の装置（携帯端末装置１０および記憶装置３０）で格納された録画データとともに当該関連付け情報も録画装置２０に送信する。そして、録画装置２０は、当該関連付け情報に基づいて、複数の録画データを結合して、１つの録画データとする。図４の例に照らすと、録画装置２０は、ＩＤ「００１」〜ＩＤ「００３」の順に録画データを結合することで、１つの録画データとすることができる。
【００５１】
＜Ｂ．ハードウェア構成＞
（ｂ１．携帯端末装置１０）
携帯端末装置１０のハードウェア構成について説明する。
【００５２】
図５は、本実施の形態に従う携帯端末装置１０のハードウェア構成を示すブロック図である。
【００５３】
図５を参照して、携帯端末装置１０は、主たる構成要素として、ＣＰＵ（Central  Processing  Unit）１１０と、メモリ１０２と、タッチパネル１０４と、ディスプレイ１０６と、スピーカ１０８と、ボタン１１０と、メモリインターフェイス（Ｉ／Ｆ）１１２と、通信インターフェイス（Ｉ／Ｆ）１１６と、無線通信部１１８と、チューナ１２２と、バイブレータ１２６とを含む。
【００５４】
ＣＰＵ１００は、メモリ１０２に格納されたプログラムを読み出して実行することで、携帯端末装置１０の各部の動作を制御する。より詳細にはＣＰＵ１００は、当該プログラムを実行することによって、後述する携帯端末装置１０の処理（ステップ）の各々を実現する。ＣＰＵ１００は、例えば、マイクロプロセッサである。なお、当該ハードウェアは、ＣＰＵ以外のＦＰＧＡ（Field  Programmable  Gate  Array）、ＡＳＩＣ（Application  Specific  Integrated  Circuit）およびその他の演算機能を有する回路などであってもよい。
【００５５】
メモリ１０２は、ＲＡＭ、ＲＯＭ（Read-Only  Memory）、フラッシュメモリ、ハードディスクを含む。メモリ１０２は、ＣＰＵ１００によって実行されるプログラム、各種データなどを格納する。
【００５６】
タッチパネル１０４は、表示部としての機能を有するディスプレイ１０６上に設けられており、抵抗膜方式、表面弾性波方式、赤外線方式、電磁誘導方式、静電容量方式などのいずれのタイプであってもよい。タッチパネル１０４は、光センサ液晶を含んでもよい。タッチパネル１０４は、所定時間毎に外部の物体によるタッチパネル１０４へのタッチ操作を検知して、タッチ座標（タッチ位置）をＣＰＵ１００に入力する。
【００５７】
スピーカ１０８は、ＣＰＵ１００からの命令に基づいて、音声を出力する。例えば、ＣＰＵ１００は、音声データに基づいて、スピーカ１０８に音声を出力させる。
【００５８】
ボタン１１０は、携帯端末装置１０の表面に配置されており、ユーザからの命令を受け付けて、当該命令に応じた信号ＣＰＵ１００に送信する。ボタン１１０は、例えば、表示画面を遷移させる画面遷移ボタン、確定ボタン、キャンセルボタンなどを含む。
【００５９】
メモリインターフェイス（Ｉ／Ｆ）１１２は、外部の記憶媒体１１４からデータを読み出す。すなわち、ＣＰＵ１００は、メモリインターフェイス１１２を介して外部の記憶媒体１１４に格納されているデータを読み出して、当該データをメモリ１０２に格納する。ＣＰＵ１００は、メモリ１０２からデータを読み出して、メモリインターフェイス１１２を介して当該データを外部の記憶媒体１１４に格納する。
【００６０】
なお、記憶媒体１１４としては、ＣＤ、ＤＶＤ、ＢＤ、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、ＥＰＲＯＭ、ＥＥＰＲＯＭ（Electronically  Erasable  Programmable  Read-Only  Memory）などの、不揮発的にプログラムを格納する媒体が挙げられる。
【００６１】
通信インターフェイス（Ｉ／Ｆ）１１６は、ＣＰＵ１００に制御されることによって、例えば、無線ＬＡＮ５０を介して、録画装置２０との間で各種データを送受信する。また、通信インターフェイス１１６は、ＣＰＵ１００に制御されることによって、例えば、赤外線通信、Ｂｌｕｅｔｏｏｔｈ（登録商標）などを利用することによって、記憶装置３０との間で各種データを送受信する。
【００６２】
無線通信部１１８は、通信アンテナ１２０を介して移動体通信網に接続し無線通信のための信号の送受信を行なう。すなわち、無線通信部１１８は、ＣＰＵ１００からの通信データを通信信号に変換し、その通信信号を通信アンテナ１２０を介して送信したり、通信アンテナ１２０を介して受信した通信信号を通信データに変換し、その通信データをＣＰＵ１００に入力する。これにより、携帯端末装置１０は、たとえば、第３世代移動通信システム（３Ｇ）、ＬＴＥ（Long  Term  Evolution）などの移動体通信網を介して発信先の通信装置との通信が可能となる。
【００６３】
チューナ１２２は、テレビアンテナ１２４を介してワンセグ放送その他のテレビジョン放送の放送信号を受信する。チューナ１２２は、ＣＰＵ１００の命令に従って番組を選局し、映像信号および音声信号をＣＰＵ１００に送信する。
【００６４】
バイブレータ１２６は、ＣＰＵ１００からの指示に基づいて、携帯端末装置１０のユーザによって指定されたパターンで、発振動作を実行する。
【００６５】
（ｂ２．録画装置２０）
録画装置２０のハードウェア構成について説明する。
【００６６】
図６は、本実施の形態に従う録画装置２０のハードウェア構成を示すブロック図である。
【００６７】
図６を参照して、録画装置２０は、主たる構成要素として、ＣＰＵ２００と、メモリ２０２と、ボタン２０４と、光学ドライブ２０６と、ディスプレイ２０８と、通信インターフェイス（Ｉ／Ｆ）２１０と、メモリインターフェイス（Ｉ／Ｆ）２１２と、チューナ２１６と、出力部２２０とを含む。
【００６８】
ＣＰＵ２００は、メモリ２０２に格納されたプログラムを読み出して実行することで、録画装置２０の各部の動作を制御して、後述する録画装置２０の処理（ステップ）の各々を実現する。
【００６９】
メモリ２０２は、ＲＡＭ、ＲＯＭ、ハードディスクを含む。メモリ２０２は、ＣＰＵ２００によって実行されるプログラム、各種データなどを格納する。
【００７０】
ボタン２０４は、録画装置２０の表面に配置されており、ユーザからの命令を受け付けて、当該命令に応じた信号ＣＰＵ２００に送信する。ボタン２０４は、例えば、再生ボタン、録画ボタン、停止ボタン、確定ボタンなどを含む。
【００７１】
光学ドライブ２０６は、ＣＰＵ２００に制御されることにより、ＣＤ、ＤＶＤ、ＢＤなどの光学ディスクに記憶された映像データ、音声データなどを読み出したり、番組の録画データを光学ディスクに書き込んだりする。
【００７２】
ディスプレイ２０８は、ＣＰＵ２００に制御されることにより、録画装置２０の動作状態を表示する。動作状態とは、録画装置２０が再生中なのか、あるいは録画中なのかといった、録画装置２０が有する機能に基づいて実現される動作の状態である。
【００７３】
メモリインターフェイス（Ｉ／Ｆ）２１２は、外部の記憶媒体２１４からデータを読み出す。すなわち、ＣＰＵ２００は、メモリインターフェイス２１２を介して外部の記憶媒体２１４に格納されているデータを読み出して、当該データをメモリ２０２に格納する。ＣＰＵ２００は、メモリ２０２からデータを読み出して、メモリインターフェイス２１２を介して当該データを外部の記憶媒体２１４に格納する。
【００７４】
記憶媒体２１４の実現方式としては、記憶媒体１１４と基本的には同様であるため、詳細な説明を繰り返さない。ただし、記憶媒体２１４としては、記憶媒体１１４の説明で挙げられた記憶媒体のうち、光学ディスク以外の記憶媒体が想定される。
【００７５】
通信インターフェイス（Ｉ／Ｆ）２１６は、ＣＰＵ１００に制御されることによって、無線ＬＡＮ５０を介して、携帯端末装置１０との間でデータを送受信する。また、通信インターフェイス２１０は、赤外線通信、Ｂｌｕｅｔｏｏｔｈ（登録商標）などを利用することによって、携帯端末装置１０との間でデータを送受信してもよい。
【００７６】
チューナ２１６は、テレビアンテナ２１８を介してテレビジョン放送の放送信号を受信する。チューナ２１６は、ＣＰＵ２００の命令に従って番組を選局し、映像信号および音声信号をＣＰＵ２００に送信する。
【００７７】
出力部２２０は、メモリ２０２または光ディスクなどの記憶媒体に記憶されている映像信号、音声データをテレビ４０に出力する。
【００７８】
リモコン受信部２２２は、リモコン２２４から送信されるＩＲ（InfraRed：赤外線）信号を受信して、ユーザからの指示を受け付ける。
【００７９】
（ｂ３．記憶装置３０）
記憶装置３０は、後述するような情報処理を全体として提供できればよく、そのハードウェア構成については公知のものを採用することができる。従って、記憶装置３０のハードウェア構成の詳細な説明は行なわない。例えば、記憶装置３０は、各種処理を実行するためのＣＰＵと、ＣＰＵによって実行されるプログラム、データなどを格納するためのメモリと、外部装置と各種データを送受信するための通信インターフェイスとを含む。
【００８０】
＜Ｃ．機能構成＞
次に、録画システム１０００が提供する上述のような録画方式を実現するための機能構成について説明する。
【００８１】
図７は、本実施の形態に従う録画システム１０００の機能ブロック図である。
まず、本実施の形態に従う携帯端末装置１０の機能構成について説明する。
【００８２】
図７を参照して、携帯端末装置１０は、主たる機能構成として、録画部３００と、取得部３０２と、監視部３０４と、通信部３０６と、警告部３０８と、生成部３１０と、検出部３１２とを含む。これらの構成は、基本的には、携帯端末装置１０のＣＰＵ１００がメモリ１０２に格納されたプログラムを実行し、携帯端末装置１０の構成要素へ指令を与えることなどによって実現される。すなわち、ＣＰＵ１００は、携帯端末装置１０の動作全体を制御する制御部としての機能を有する。また、携帯端末装置１０は、メモリ１０２に含まれるＲＡＭ（ワーキングメモリとして機能）によって実現される機能構成である一時格納部３１４と、メモリ１０２に含まれるフラッシュメモリによって実現される機能構成である不揮発性メモリ３１６とを含む。なお、これらの機能構成の一部または全部はハードウェアで実現されていてもよい。
【００８３】
録画部３００は、録画装置２０から予め録画予約を依頼された番組を録画する。より具体的には、録画部３００は、通信インターフェイス１１６を介して、録画装置２０から録画予約情報（チャンネル情報、録画日時情報など）を取得する。そして、録画部３００は、テレビアンテナ１２４およびチューナ１２２を介して、当該録画予約情報に対応する番組を録画する。録画部３００は、放送中の番組の録画データ（映像データ、音声データなど）を一時格納部３１４に一時格納する。録画部３００は、別の局面では、後述する通信部３０６による外部装置への録画データの転送が中断されている場合に、録画データを不揮発性メモリ３１６に格納する。
【００８４】
取得部３０２は、携帯端末装置１０と録画装置２０との間の通信状態を示す情報を取得する。より具体的には、取得部３０２は、携帯端末装置１０が録画装置２０と通信するための無線信号の信号レベル（電界強度）を測定し、当該測定結果を通信状態を示す情報として取得する。取得部３０２は、携帯端末装置１０が無線ＬＡＮを介して録画装置２０と接続されている場合には、無線ＬＡＮのアクセスポイントからの無線信号の信号レベルを測定する。また、取得部３０２は、携帯端末装置１０と録画装置２０とが直接通信している場合には、録画装置２０からの無線信号の信号レベルを測定する。
【００８５】
監視部３０４は、録画部３００によって放送中の番組が録画されている間、取得部３０２によって取得された通信状態を示す情報に基づいて、携帯端末装置１０と録画装置２０との間の通信状態を監視する。監視部３０４は、無線信号の信号レベル（電界強度）が大きいほど、携帯端末装置１０と録画装置２０との通信状態が良好であると判断する。
【００８６】
監視部３０４は、別の局面では、当該通信状態が予め定められた基準レベル以上か否かを判断する。より具体的には、監視部３０４は、携帯端末装置１０が録画装置２０と通信するための無線信号の信号レベルが、基準となる無線信号の信号レベル以上か否かを判断する。ここで、基準レベルとは、携帯端末装置１０が録画装置２０と通信不能になる信号レベルよりも、一定レベルだけ大きい信号レベルである。
【００８７】
通信部３０６は、録画された放送中の番組の録画データを録画装置２０に転送する。より具体的には、録画部３００によって一時格納部３１４に一時格納された、放送中の番組の録画データを、順次、録画装置２０に転送する。通信部３０６は、別の局面では、携帯端末装置１０が通信可能な少なくとも１つの記憶装置３０に放送中の番組の録画データを転送する。
【００８８】
通信部３０６は、さらに別の局面では、携帯端末装置１０と録画装置２０との間の通信状態が、一定時間以上の間、基準レベル未満の状態であると監視部３０４によって判断された場合に、放送中の番組の録画データの録画装置２０への転送を中断する。通信部３０６は、さらに別の局面では、録画装置２０への転送が中断されているときに、当該通信状態が、基準レベル未満の状態から基準レベル以上の状態に復帰したと監視部３０４によって判断された場合に、放送中の番組における復帰後の録画データを録画装置２０に転送する。通信部３０６は、さらに別の局面では、不揮発性メモリ３１６に格納された録画データと、後述する生成部３１０によって生成された関連付け情報とを録画装置２０に送信する。なお、通信部３０６は、主に、ＣＰＵ１００と通信インターフェイス１１６とが連係して動作することで実現される。
【００８９】
警告部３０８は、携帯端末装置１０と録画装置２０との間の通信状態が基準レベル未満の状態であると監視部３０４によって判断された場合に、携帯端末装置１０のユーザに警告する。より具体的には、警告部３０８は、携帯端末装置１０が録画装置２０と通信不能になる危険性がある旨の警告音をスピーカ１０８に出力させる。また、警告部３０８は、ディスプレイ１０６に当該危険性を知らせる警告情報を表示してもよいし、バイブレータ１２６に本体を振動させる発信動作を行なわせてもよい。
【００９０】
生成部３１０は、通信部３０６によって録画装置２０に転送された録画データと、不揮発性メモリ３１６に格納された録画データとの関連付け情報を生成する。より具体的には、生成部３１０は、当該転送された録画データと、不揮発性メモリ３１６に格納された録画データとの繋がりを示す関連付け情報を生成する。また、生成部３１０は、通信部３０６によって記憶装置３０にも録画データが転送されている場合には、不揮発性メモリ３１６に格納された録画データと、記憶装置３０に転送された録画データとの繋がりを示す関連付け情報をさらに生成する。すなわち、生成部３１０は、どの場所（装置）に、どの時間帯の録画データが格納されているのかを示す情報を生成する。
【００９１】
検出部３１２は、録画部３００が放送中の番組の録画データを不揮発性メモリ３１６に格納しているときに、不揮発性メモリ３１６のメモリ残量が予め定められた基準残量未満になった場合、携帯端末装置１０が通信可能な少なくとも１つの記憶装置３０を検出する。検出部３１２は、例えば、通信インターフェイス１１６を介して予め有している記憶装置３０の識別情報に基づいて記憶装置３０を検出する。
【００９２】
次に、本実施の形態に従う録画装置２０の機能構成について説明する。
図７を参照して、録画装置２０は、主たる機能構成として、予約部４００と、データ通信部４０２と、結合部４０４とを含む。これらの構成は、基本的には、録画装置２０のＣＰＵ２００がメモリ２０２に格納されたプログラムを実行し、録画装置２０の構成要素へ指令を与えることなどによって実現される。すなわち、ＣＰＵ２００は、録画装置２０の動作全体を制御する制御部としての機能を有する。また、録画装置２０は、メモリ２０２、または光学ドライブ２０６および光ディスク２０７によって実現されるデータ格納部４０６を含む。なお、これらの機能構成の一部または全部はハードウェアで実現されていてもよい。
【００９３】
予約部４００は、ユーザからの指示により録画予約を受け付けて、録画予約情報を生成する。録画予約情報は、例えば、録画開始（終了）日時、録画時間、録画モード、番組追従機能（予約後に番組表の時間変更されても追従して予約を変更する機能）の有無などを示す情報を含む。
【００９４】
データ通信部４０２は、携帯端末装置１０から転送（送信）された番組の録画データと、放送中の番組における、携帯端末装置１０からの転送が中断される前に受信した録画データと、転送が中断された後に受信した録画データとの関連付け情報を受信する。より具体的には、データ通信部４０２は、録画装置２０に転送済みの録画データと、転送の中断によって別の場所に格納された（未転送部分の）録画データとの関連付け情報を受信する。そして、データ通信部４０２は、当該録画データおよび関連付け情報をデータ格納部４０６に格納する。また、データ通信部４０２は、予約部４００によって生成された録画予約情報を携帯端末装置１０に送信する。
【００９５】
結合部４０４は、データ格納部４０６に格納された録画データと関連付け情報とに基づいて、録画予約された番組における複数の録画データを結合して、１つの録画データとする。
【００９６】
＜Ｄ．処理手順＞
本実施の形態に従う録画システム１０００において実行される処理手順について説明する。
【００９７】
（ｄ１．録画予約処理）
録画装置２０が携帯端末装置１０に録画予約を依頼する際の処理手順について説明する。
【００９８】
図８は、本実施の形態に従う録画装置２０が携帯端末装置１０に録画予約依頼をする際の処理の流れを示すシーケンス図である。
【００９９】
図８を参照して、録画装置２０は、録画予約をするために、通信可能な携帯端末装置１０を検索する処理を実行する（ステップＳ１０）。より具体的には、録画装置２０は、無線ＬＡＮ５０に接続されている携帯端末装置１０に応答するように要求する。なお、録画装置２０と携帯端末装置１０とが直接通信している場合には、応答要求を送信して携帯端末装置１０に応答するように要求する。
【０１００】
携帯端末装置１０は、録画装置２０からの応答要求を受信すると（ステップＳ１２）、携帯端末装置１０は、応答信号を録画装置２０に送信して当該要求に応答する（ＳＱ１４）。応答信号は、例えば、携帯端末装置１０の識別情報を含む。
【０１０１】
録画装置２０は、応答信号を受信すると（ステップＳ１６）、応答のあった携帯端末装置１０に対してチューナの空き状況を問い合わせる（ステップＳ１８）。より具体的には、録画装置２０は、録画予約しようとしている時間に、携帯端末装置１０の有するチューナが使用される予定であるか否かを問い合わせる。
【０１０２】
携帯端末装置１０は、当該問い合わせを受信すると、チューナの空き状況を確認する（ステップＳ２０）。そして、携帯端末装置１０は、チューナの空き状況を送信する（ステップＳ２２）。例えば、録画装置２０が、録画予約依頼しようとしている時間に、携帯端末装置１０が番組を録画することが可能か否かを示す情報を送信する。
【０１０３】
録画装置２０は、携帯端末装置１０からチューナの空き情報を受信すると（ステップＳ２４）、チューナの空きがあるか否かを判断する。以下では、チューナの空きがある場合について説明する。録画装置２０は、チューナの空きがあると判断して、録画時間帯、チャンネル情報等を含む録画予約情報を携帯端末装置１０に送信する（ステップＳ２６）。なお、チューナの空きがない場合には、録画予約が不可となる。
【０１０４】
携帯端末装置１０は、録画装置２０から受信した録画予約情報を登録して（ステップＳ２８）、当該登録が完了したことを示す登録完了情報を送信する（ステップＳ３０）。
【０１０５】
録画装置２０は、携帯端末装置１０から登録完了情報を受信して（ステップＳ３２）、例えば、登録が完了した旨を示す情報をディスプレイ１０６に表示する。
【０１０６】
次に、本実施の形態に従う録画装置２０が実行する詳細な録画予約処理について説明する。
【０１０７】
図９は、本実施の形態に従う録画装置２０が実行する録画予約処理を示すフローチャートである。図１０は、本実施の形態に従う録画装置２０が提供するユーザインターフェイス画面の一例を示す図である。図１１は、本実施の形態に従う録画装置２０が提供するユーザインターフェイス画面の他の一例を示す図である。
【０１０８】
図９を参照して、録画装置２０のＣＰＵ２００は、録画装置２０のリモコン受信部２２２を介してユーザからの録画予約の指示を受け付けたか否かを判断する（ステップＳ１０１）。
【０１０９】
ＣＰＵ２００は、録画予約の指示を受け付けていない場合には（ステップＳ１０１においてＮＯ）、ステップＳ１０１の処理を繰り返す。ＣＰＵ２００は、録画予約の指示を受け付けた場合には（ステップＳ１０１においてＹＥＳ）、当該指示に基づく録画時間帯に、既に他の録画予約が存在するか否かを判断する（ステップＳ１０３）。換言すると、ＣＰＵ２００は、当該指示に基づく番組の録画予約の時間帯と、既に予約された番組の録画予約の時間帯とが重なるか否かを判断する。
【０１１０】
他の録画予約が存在しない場合には（ステップＳ１０３においてＮＯ）、ＣＰＵ２００は、録画装置２０における空きのあるチューナで録画予約を行なう（ステップＳ１０５）。そして、ＣＰＵ２００は、処理を終了する。他の録画予約が存在する場合には（ステップＳ１０３においてＹＥＳ）、ＣＰＵ２００は、録画装置２０のチューナ２１６に空きがあるか否かを判断する（ステップＳ１０７）。より具体的には、ＣＰＵ２００は、当該他の録画予約において使用されるチューナとは別のチューナが存在するか否かを判断する。
【０１１１】
チューナの空きがある場合には（ステップＳ１０７においてＹＥＳ）、ＣＰＵ２００は、空きのあるチューナで録画予約を行なう（ステップＳ１０５）。チューナの空きがない場合には（ステップＳ１０７においてＮＯ）、ＣＰＵ２００は、通信可能な携帯端末装置１０を検索する（ステップＳ１０９）。より具体的には、ＣＰＵ２００は、通信インターフェイス２１０を介して携帯端末装置１０に対して応答要求をする。
【０１１２】
ＣＰＵ２００は、通信インターフェイス２１０を介して携帯端末装置１０から当該要求に対する応答を受け付けたか否かを判断する（ステップＳ１１１）。
【０１１３】
ＣＰＵ２００は、応答要求をしてから一定時間経過しても、応答を受け付けない場合には（ステップＳ１１１においてＮＯ）、出力部２２０を介してテレビ４０のモニタに録画予約が不可能であることを表示する（ステップＳ１１３）。例えば、ＣＰＵ２００は、図１０に示すユーザインターフェイス画面５００のように、録画予約可能な携帯端末装置が見つからなかったことを示すメッセージ５０２を当該モニタに表示する。なお、ＣＰＵ２００は、ディスプレイ２０８に当該メッセージ５０２を表示してもよい。そして、ＣＰＵ２００は、処理を終了する。
【０１１４】
ＣＰＵ２００は、応答を受け付けた場合には（ステップＳ１１１においてＹＥＳ）、通信インターフェイス２１０を介して、応答のあった携帯端末装置１０に対して、指示された録画予約の時間帯における、携帯端末装置１０のチューナ１２２の空き状況を送信するように要求する（ステップＳ１１５）。そして、ＣＰＵ２００は、通信インターフェイス２１０を介してチューナ１２２の空き状況を受信すると（ステップＳ１１７）、受信した空き状況に基づいて、依頼した録画予約の時間帯においてチューナの空きがあるか否かを判断する（ステップＳ１１９）。
【０１１５】
チューナの空きがない場合には（ステップＳ１１９においてＮＯ）、ＣＰＵ２００は、ステップＳ１１３以降の処理を実行する。チューナの空きがある場合には（ステップＳ１１９においてＹＥＳ）、ＣＰＵ２００は、応答のあった携帯端末装置１０に録画予約情報を送信する（ステップＳ１２１）。より具体的には、ＣＰＵ２００は、ユーザからの指示に基づいて生成された録画予約情報を当該携帯端末装置１０に送信する。
【０１１６】
ＣＰＵ２００は、通信インターフェイス２１０を介して、当該録画予約情報に基づく録画予約が完了したことを示す登録完了情報を、携帯端末装置１０から受信したか否かを判断する（ステップＳ１２３）。
【０１１７】
ＣＰＵ２００は、登録完了情報を受信していない場合には（ステップＳ１２３においてＮＯ）、ステップＳ１２３の処理を繰り返す。ＣＰＵ２００は、登録完了情報を受信した場合には（ステップＳ１２３においてＹＥＳ）、出力部２２０を介してテレビ４０のモニタ（またはディスプレイ２０８）に登録が完了したことを表示する（ステップＳ１２５）。例えば、ＣＰＵ２００は、図１１に示すユーザインターフェイス画面５１０のように、応答のあった携帯端末装置１０への録画予約登録が完了したことを示すメッセージ５１２を当該モニタに表示する。そして、ＣＰＵ２００は、処理を終了する。
【０１１８】
（ｄ２．録画処理）
次に、携帯端末装置１０が、録画装置２０から依頼された録画予約に基づいて番組を録画する際の処理手順について説明する。
【０１１９】
図１２は、本実施の形態に従う携帯端末装置１０が実行する録画処理を示すフローチャートである。ここでは、携帯端末装置１０は、初期状態において、録画装置２０との間で良好な通信状態（上述した図３における（１）の状態）であるとする。また、携帯端末装置１０は、チューナ１２２を介して放送される番組を受信可能であるものとする。
【０１２０】
図１２を参照して、携帯端末装置１０のＣＰＵ１００は、録画予約された番組（以下「予約番組」とも称す。）の録画を開始するか否かを判断する（ステップＳ２０１）。より具体的には、ＣＰＵ１００は、予約番組の開始時刻が到来したか否かを判断する。
【０１２１】
予約番組の開始時刻が到来した場合には（ステップＳ２０１においてＮＯ）、ＣＰＵ１００は、ステップＳ２０１の処理を繰り返す。予約番組の開始時刻が到来していない場合には（ステップＳ２０１においてＹＥＳ）、ＣＰＵ１００は、録画予約情報に基づいて、当該予約番組が、録画装置２０から依頼を受けて録画予約した番組か否かを判断する（ステップＳ２０３）。
【０１２２】
ＣＰＵ１００は、録画装置２０からの依頼による予約番組ではないと判断すると（ステップＳ２０３においてＮＯ）、予約番組の録画を開始して、録画した番組の録画データをメモリ１０２（フラッシュメモリ）に格納する（ステップＳ２０５）。そして、ＣＰＵ１００は、処理を終了する。
【０１２３】
ＣＰＵ１００は、録画装置２０からの依頼による予約番組であると判断すると（ステップＳ２０３においてＹＥＳ）、予約番組の録画を開始し、録画された放送中の番組の録画データを、通信インターフェイス１１６を介して録画装置２０に転送する（ステップＳ２０７）。より具体的には、ＣＰＵ１００は、一時的に当該録画データをメモリ１０２（ＲＡＭ）に格納するとともに、当該メモリ１０２（ＲＡＭ）に格納された録画データを、順次、録画装置２０に転送する。
【０１２４】
ＣＰＵ１００は、録画を終了するか否かを判断する（ステップＳ２０９）。すなわち、ＣＰＵ１００は、録画予約情報に基づいて、録画終了時刻が到来したか否かを判断する。ＣＰＵ１００は、録画を終了する場合には（ステップＳ２０９においてＹＥＳ）、後述するステップＳ２２５からの処理を実行する。
【０１２５】
ＣＰＵ１００は、録画を終了しない場合には（ステップＳ２０９においてＮＯ）、携帯端末装置１０と録画装置２０との通信状態が基準レベル以上か否かを判断する（ステップＳ２１１）。より具体的には、ＣＰＵ１００は、携帯端末装置１０が録画装置２０と通信するための無線信号の信号レベル（電界強度）を測定する。そして、ＣＰＵ１００は、測定された信号レベルが基準となる無線信号の信号レベル以上か否かを判断する。
【０１２６】
当該通信状態が基準レベル以上である場合には（ステップＳ２１１においてＹＥＳ）、ＣＰＵ１００は、ステップＳ２０７からの処理を繰り返す。当該通信状態が基準レベル未満である場合には（ステップＳ２１１においてＮＯ）、ＣＰＵ１００は、ユーザに警告する。より具体的には、ＣＰＵ１００は、携帯端末装置１０が録画装置２０と通信不能になる危険性がある旨の警告音をスピーカ１０８に出力させる。また、ＣＰＵ１００は、ディスプレイ１０６に当該危険性を知らせるメッセージを表示したり、バイブレータ１２６に本体を振動させる発信動作を実行させたりてもよい。なお、上述したように、基準レベルとは、携帯端末装置１０が録画装置２０と通信不能になる信号レベルよりも、一定レベルだけ大きい信号レベルである。そして、ユーザは、当該基準レベルを任意に設定可能である。例えば、ユーザは、通信不能となる状態の回避をより望む場合には、基準レベルをより大きく設定しておけばよい。
【０１２７】
次に、ＣＰＵ１００は、当該通信状態が一定時間以上の間、基準レベル未満であるか否かを判断する（ステップＳ２１５）。
【０１２８】
当該通信状態が、一定時間以上の間、基準レベル未満ではない場合には（ステップＳ２１５においてＮＯ）、ステップＳ２０７からの処理を繰り返す。これは、ユーザに警告した結果、携帯端末装置１０を所有するユーザが移動するなどして、一定時間内に通信状態が基準レベル以上の状態に復帰した場合である。
【０１２９】
当該通信状態が、一定時間以上の間、基準レベル未満である場合には（ステップＳ２１５においてＹＥＳ）、ＣＰＵ１００は、放送中の番組の録画データの録画装置２０への転送を中断して、メモリ１０２（フラッシュメモリ）に録画データを格納する（ステップＳ２１７）。すなわち、ＣＰＵ１００は、放送中の番組の録画データの格納先を録画装置２０から携帯端末装置１０に切り替える。また、このとき、ＣＰＵ１００は、録画装置２０に転送済みの録画データとメモリ１０２（フラッシュメモリ）に格納する録画データとの繋がりを示す関連付け情報を生成する。通信状態が、一定時間以上の間、基準レベル未満である場合には、携帯端末装置１０が録画装置２０と通信不能になる可能性が高い。通信不能になった結果、放送中の番組の録画データを転送できなくなり、番組の録画データが途中で途切れてしまうことを回避するために、ＣＰＵ１００は、ステップＳ２１７の処理を実行する。
【０１３０】
ＣＰＵ１００は、録画を終了するか否かを判断する（ステップＳ２１９）。ＣＰＵ１００は、録画を終了する場合には（ステップＳ２１９においてＹＥＳ）、後述するステップＳ２２５からの処理を実行する。
【０１３１】
ＣＰＵ１００は、録画を終了しない場合には（ステップＳ２１９においてＮＯ）、携帯端末装置１０と録画装置２０との通信状態が、基準レベル以上に復帰したか否かを判断する（ステップＳ２２１）。より具体的には、ＣＰＵ１００は、当該通信状態が基準レベル未満から基準レベル以上に復帰したか否かを判断する。
【０１３２】
当該通信状態が基準レベル以上に復帰していない場合には（ステップＳ２２１においてＮＯ）、ＣＰＵ１００は、ステップＳ２１９からの処理を繰り返す。当該通信状態が基準レベル以上に復帰した場合には（ステップＳ２２１においてＹＥＳ）、ＣＰＵ１００は、メモリ１０２（フラッシュメモリ）に格納された録画データと、録画装置２０に転送する録画データとの繋がりを示す関連付け情報を生成して（ステップＳ２２３）、ステップＳ２０７からの処理を実行する。すなわち、ＣＰＵ１００は、放送中の番組の録画データの格納先を携帯端末装置１０から録画装置２０に切り替えて、当該録画データの録画装置２０への転送を再開する。より具体的には、ＣＰＵ１００は、一時的に当該録画データをメモリ１０２（ＲＡＭ）に一時的に格納するとともに、当該メモリ１０２（ＲＡＭ）に格納された録画データを、順次、録画装置２０に転送することを再開する。
【０１３３】
次に、ＣＰＵ１００が、録画を終了すると判断した場合（ステップＳ２０９またはステップＳ２１９においてＹＥＳ）のステップＳ２２５からの処理について説明する。
【０１３４】
ＣＰＵ１００は、メモリ１０２（フラッシュメモリ）に録画終了した番組の録画データが格納されているか否かを判断する（ステップＳ２２５）。より具体的には、ＣＰＵ１００が、録画装置２０への録画データの転送を中断した結果、携帯端末装置１０のメモリ１０２（フラッシュメモリ）に格納された録画データが存在するか否かを判断する。
【０１３５】
録画データがメモリ１０２（フラッシュメモリ）に格納されていない場合には（ステップＳ２２５においてＮＯ）、ＣＰＵ１００は、録画処理を終了する。これは、放送中の番組を録画している間、携帯端末装置１０から録画装置２０への録画データの転送が中断しなかった場合である。録画データがメモリ１０２（フラッシュメモリ）に格納されている場合には（ステップＳ２２５においてＹＥＳ）、ＣＰＵ１００は、当該格納された録画データと、生成した関連付け情報とを録画装置２０に送信する（ステップＳ２２７）。そして、ＣＰＵ１００は、録画処理を終了する。
【０１３６】
［変形例］
次に、携帯端末装置１０が、録画装置２０から依頼された録画予約に基づいて番組を録画する際の処理手順の変形例について説明する。より具体的には、携帯端末装置１０が、ステップＳ２１７において、放送中の番組の録画データを自装置のメモリ１０２（フラッシュメモリ）に格納しているときの処理の変形例である。このとき、携帯端末装置１０は、自装置のメモリ残量が少なくなると、外部装置である記憶装置３０に、放送中の番組の録画データを転送する。すなわち、携帯端末装置１０は、記憶装置３０を録画データの一時格納先として利用する。
【０１３７】
図１３は、本実施の形態に従う携帯端末装置１０が実行する録画処理の変形例を示すフローチャートである。
【０１３８】
図１３を参照して、ＣＰＵ１００は、メモリ１０２（フラッシュメモリ）に録画データを格納しているときに（ステップＳ２１７）、メモリ１０２（フラッシュメモリ）のメモリ残量が予め定められた基準残量未満になったか否かを判断する（ステップＳ３０１）。
【０１３９】
当該メモリ残量が基準残量未満ではない場合には（ステップＳ３０１においてＮＯ）、ＣＰＵ１００は、ステップＳ２１７の処理を繰り返す。当該メモリ残量が基準残量未満である場合には（ステップＳ３０１においてＹＥＳ）、ＣＰＵ１００は、携帯端末装置１０と通信可能な少なくとも１つの記憶装置３０が存在するか否かを判断する（ステップＳ３０３）。例えば、ＣＰＵ１００は、携帯端末装置１０が予め有している記憶装置３０の識別情報に基づいて、通信インターフェイス１１６を介して当該記憶装置３０を検索して、記憶装置３０が存在するか否かを判断する。
【０１４０】
記憶装置３０が存在しない場合には（ステップＳ３０３においてＮＯ）、ＣＰＵ１００は、ステップＳ２１７からの処理を繰り返す。記憶装置３０が存在する場合には（ステップＳ３０３においてＹＥＳ）、ＣＰＵ１００は、通信インターフェイス１１６を介して、当該記憶装置３０に放送中の番組の録画データを転送する（ステップＳ３０５）。すなわち、ＣＰＵ１００は、放送中の番組の録画データの格納先を携帯端末装置１０から記憶装置３０に切り替える。より具体的には、ＣＰＵ１００は、一時的に当該録画データをメモリ１０２（ＲＡＭ）に一時的に格納するとともに、当該メモリ１０２（ＲＡＭ）に格納された録画データを、順次、記憶装置３０に転送する。このとき、ＣＰＵ１００は、メモリ１０２（フラッシュメモリ）に格納された録画データと、記憶装置３０に転送する録画データとの繋がりを示す関連付け情報を生成する。
【０１４１】
ＣＰＵ１００は、録画を終了するか否かを判断する（ステップＳ３０７）。ＣＰＵ１００は、録画を終了しない場合には（ステップＳ３０７においてＮＯ）、ステップＳ３０５からの処理を繰り返す。ＣＰＵ１００は、録画を終了する場合には（ステップＳ３０７においてＹＥＳ）、通信インターフェイス１１６を介して、メモリ１０２（フラッシュメモリ）に格納された録画データと、記憶装置３０に格納された録画データと、各々の録画データおよび録画装置２０に転送済みの録画データの繋がりを示す関連付け情報とを録画装置２０に送信する（ステップＳ３０９）。
【０１４２】
例えば、ＣＰＵ１００は、メモリ１０２（フラッシュメモリ）に格納されている録画データおよび関連付け情報を録画装置２０に送信する。そして、ＣＰＵ１００は、メモリ残量が大きくなったら、通信インターフェイス１１６を介して記憶装置３０に格納された録画データを受信するとともに、当該受信した録画データを録画装置２０に送信する。なお、記憶装置３０が、録画装置２０とも通信可能に構成されている場合には、ＣＰＵ１００は、記憶装置３０が格納している録画データを録画装置２０に直接送信するように指示してもよい。携帯端末装置１０および記憶装置３０に格納されたデータが、録画装置２０に送信される送信方式であればよく、上記の送信方式に限られない。そして、ＣＰＵ１００は、処理を終了する。
【０１４３】
（ｄ３．格納処理）
次に、録画装置２０が、携帯端末装置１０から転送（送信）された録画データを格納する際の処理手順について説明する。
【０１４４】
図１４は、本実施の形態に従う録画装置２０が実行する格納処理の処理手順を示すフローチャートである。ここでは、録画装置２０は、携帯端末装置１０から送信された録画データをメモリ２０２（ハードディスク）に格納するものとする。
【０１４５】
図１４を参照して、録画装置２０のＣＰＵ２００は、通信インターフェイス２１０を介して携帯端末装置１０から、放送中の番組の録画データが転送されたか（録画データを受信したか）否かを判断する（ステップＳ４０１）。
【０１４６】
録画データが転送されていない場合には（ステップＳ４０１においてＮＯ）、ＣＰＵ２００は、ステップＳ４０１の処理を繰り返す。録画データが転送された場合には（ステップＳ４０１においてＹＥＳ）、ＣＰＵ２００は、当該転送された録画データを、メモリ２０２（ハードディスク）に格納する（ステップＳ４０３）。
【０１４７】
ＣＰＵ２００は、携帯端末装置１０からの録画データの転送が中断したか否かを判断する（ステップＳ４０５）。すなわち、ＣＰＵ２００は、通信インターフェイス２１０を介して放送中の番組の録画データを受信しなくなったか否かを判断する。
【０１４８】
録画データの転送が中断した場合には（ステップＳ４０５においてＹＥＳ）、ＣＰＵ２００は、後述するＳ４０９以降の処理を実行する。録画データの転送が中断していない場合には（ステップＳ４０５においてＮＯ）、ＣＰＵ２００は、放送中の番組の録画が終了したか否かを判断する（ステップＳ４０７）。すなわち、ＣＰＵ２００は、携帯端末装置１０に依頼するために送信した録画予約情報に基づいて、録画終了時刻が到来したか否かを判断する。
【０１４９】
録画終了時刻が到来していない場合には（ステップＳ４０７においてＹＥＳ）、ＣＰＵ２００は、ステップＳ４０３からの処理を実行する。すなわち、ＣＰＵ２００は、転送された録画データの格納を続行する。録画終了時刻が到来した場合には（ステップＳ４０７においてＮＯ）、ＣＰＵ２００は、録画データの格納処理を終了する。
【０１５０】
次に、ステップＳ４０９以降の処理について説明する。
録画データの転送が中断した場合には（ステップＳ４０５においてＹＥＳ）、ＣＰＵ２００は、録画装置２０を待機状態とする（ステップＳ４０９）。そして、ＣＰＵ２００は、放送中の番組の録画が終了したか否かを判断する（ステップＳ４１１）。
【０１５１】
録画終了時刻が到来していない場合には（ステップＳ４１１においてＮＯ）、ＣＰＵ２００は、後述するステップＳ４１７以降の処理を実行する。録画終了時刻が到来した場合には（ステップＳ４１１においてＹＥＳ）、ＣＰＵ２００は、録画装置２０に転送済みの録画データと別の場所（携帯端末装置１０または記憶装置３０）に格納された（未転送部分の）録画データとの繋がりを示す関連付け情報と、別の場所に格納された録画データとを、通信インターフェイス２１０を介して携帯端末装置１０から受信したか否かを判断する（ステップＳ４１３）。
【０１５２】
ＣＰＵ２００は、関連付け情報と別の場所に格納された録画データとを受信していない場合には（ステップＳ４１３においてＮＯ）、ステップＳ４１３の処理を繰り返す。ＣＰＵ２００は、関連付け情報と別の場所に格納された録画データとを受信した場合には（ステップＳ４１３においてＹＥＳ）、当該関連付け情報に基づいて、当該転送済みの録画データと、当該別の場所に格納された録画データとを結合して１つの録画データとし、メモリ２０２（ハードディスク）に格納する（ステップＳ４１５）。そして、ＣＰＵ２００は、格納処理を終了する。
【０１５３】
次に、ステップＳ４１７以降の処理について説明する。
録画終了時刻が到来していない場合には（ステップＳ４１１においてＮＯ）、ＣＰＵ２００は、通信インターフェイス２１０を介して、携帯端末装置１０からの、放送中の番組の録画データの転送が再開された否かを判断する（ステップＳ４１７）。
【０１５４】
録画データの転送が再開されていない場合には（ステップＳ４１７においてＮＯ）、ＣＰＵ２００は、ステップＳ４０９からの処理を繰り返す。すなわち、ＣＰＵ２００は、録画装置２０の待機状態を続行させる。録画データの転送が再開された場合には（ステップＳ４１７においてＹＥＳ）、ＣＰＵ２００は、通信インターフェイス２１０を介して受信した、転送再開後の録画データをメモリ２０２（ハードディスク）に格納する（ステップＳ４１９）。
【０１５５】
ＣＰＵ２００は、再開された録画データの転送が中断したか否かを判断する（ステップＳ４２１）。録画データの転送が中断した場合には（ステップＳ４２１においてＹＥＳ）、ＣＰＵ２００は、ステップＳ４０９からの処理を実行する。すなわち、ＣＰＵ２００は、録画装置２０を再び待機状態とする。録画データの転送が中断していない場合には（ステップＳ４２１においてＮＯ）、ＣＰＵ２００は、放送中の番組の録画が終了したか否かを判断する（ステップＳ４２３）。
【０１５６】
録画終了時刻が到来していない場合には（ステップＳ４２３においてＮＯ）、ＣＰＵ２００は、ステップＳ４１９からの処理を繰り返す。すなわち、ＣＰＵ２００は、転送再開後の録画データの格納を続行する。録画終了時刻が到来した場合には（ステップＳ４２３においてＹＥＳ）、ＣＰＵ２００は、ステップＳ４１３からの処理を実行する。
【０１５７】
＜Ｅ．その他の実施の形態＞
上記では、チューナを介して番組を受信する場合について説明したが、ネットワークを介して得ることのできる番組であってもよい。
【０１５８】
また、携帯端末装置が複数存在する場合には、録画装置は、携帯端末装置の数だけ録画予約を依頼することができる。このとき、録画装置は、予め定められた優先度に基づいて録画予約を依頼してもよい。
【０１５９】
また、携帯端末装置と録画装置とが、主に無線ＬＡＮを介してデータを送受信する場合について説明したが、赤外線通信、Ｂｌｕｅｔｏｏｔｈ（登録商標）などの近距離通信によってＰ２Ｐ（Peer  to  Peer）接続方式で直接データの送受信を行なってもよい。これは、携帯端末装置と記憶装置とのデータ送受信でも同様である。
【０１６０】
なお、コンピュータを機能させて、上述のフローチャートで説明したような制御を実行させるプログラムを提供することもできる。このようなプログラムは、コンピュータに付属するフレキシブルディスク、ＣＤ−ＲＯＭ（Compact  Disk  Read  Only  Memory）、ＲＯＭ、ＲＡＭおよびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１６１】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【０１６２】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【０１６３】
＜Ｆ．利点＞
本実施の形態によれば、ユーザは、メモリ容量を気にすることなく、放送時間帯が重なる複数の放送番組を録画することが可能となる。
【０１６４】
携帯端末装置が録画装置の通信圏外に出そうになった場合には、通信圏外に出ないようにユーザに警告されるため、録画装置への録画データの転送の中断を防ぐことができる。また、仮に、携帯端末装置が録画装置との通信圏外に出てしまった場合でも、一時的に携帯端末装置で放送番組の録画データを保存するため、放送番組の録画落ち部分が発生することなく放送番組を録画することができる。携帯端末装置が録画装置の通信圏外から通信圏内に復帰した場合には、録画装置への録画データの転送が再開されるため、ユーザは、一時的な移動を制限されることなく長時間の放送番組を録画することができる。
【０１６５】
携帯端末装置は、一時的に録画データを保存することにより、自身のメモリ残量が小さくなった場合には、他の記憶装置に対して録画データの保存を依頼することができるため、長時間、携帯端末装置が録画装置と通信できない状態でも、放送番組の録画落ち部分が発生することなく放送番組を録画することができる。
【０１６６】
録画装置は、各装置で保存されている録画データを結合して１つのデータとするため、ユーザは、各装置で保存された録画データを別々に再生して視聴する必要がない。
【０１６７】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１６８】
１０  携帯端末装置、２０  録画装置、３０  記憶装置、４０  テレビ、５０  無線ＬＡＮ、６０  インターネット、１００，２００  ＣＰＵ、１０２，２０２  メモリ、１０４  タッチパネル、１０６，２０８  ディスプレイ、１０８  スピーカ、１１０，２０４  ボタン、１１２，２１２  メモリインターフェイス、１１４，２１４  記憶媒体、１１６，２１０，２１６  通信インターフェイス、１１８  無線通信部、１２０  通信アンテナ、１２２，２１６  チューナ、１２４，２１８  テレビアンテナ、１２６  バイブレータ、２０６  光学ドライブ、２０７  光ディスク、２２０  出力部、２２２  リモコン受信部、２２４  リモコン、３００  録画部、３０２  取得部、３０４  監視部、３０６  通信部、３０８  警告部、３１０  生成部、３１２  検出部、３１４  一時格納部、３１６  不揮発性メモリ、４００  予約部、４０２  データ通信部、４０４  結合部、４０６  データ格納部、１０００  録画システム。
【図１】
0005875941.tif 000002
【図２】
0005875941.tif 000003
【図３】
0005875941.tif 000004
【図４】
0005875941.tif 000005
【図５】
0005875941.tif 000006
【図６】
0005875941.tif 000007
【図７】
0005875941.tif 000008
【図８】
0005875941.tif 000009
【図９】
0005875941.tif 000010
【図１０】
0005875941.tif 000011
【図１１】
0005875941.tif 000012
【図１２】
0005875941.tif 000013
【図１３】
0005875941.tif 000014
【図１４】
0005875941.tif 000015